(57)【要約】【課題】本発明は、異常の発生を認識しやすく、かつ異常の詳細を迅速に確認できる監視システムを提供することを目的とする。【解決手段】監視システムは、表示手段と、表示手段の近傍に設けられたタグリーダと、照合用ＩＤおよびそれに関連付けられた視力情報を予め記憶している記憶手段と、タグリーダが受信したＩＤを、照合用ＩＤと照合する認証手段と、タグリーダによってＩＤを受信された無線タグとタグリーダとの距離を検出する距離検出手段と、タグリーダが受信したＩＤと一致する照合用ＩＤに関連付けられた視力情報および距離検出手段が検出した距離に基づいて表示手段の表示を拡大縮小する表示制御手段と、を備える。【選択図】図１
2014106608.tif 000002
【特許請求の範囲】
【請求項１】
監視対象の情報を表示するための表示手段と、
前記表示手段の近傍に設けられ、無線タグからＩＤを受信するタグリーダと、
照合用ＩＤおよび前記照合用ＩＤに関連付けられた視力情報を予め記憶している記憶手段と、
前記タグリーダが受信したＩＤを、前記記憶手段に記憶されている照合用ＩＤと照合する認証手段と、
前記タグリーダによってＩＤを受信された無線タグと前記タグリーダとの距離を検出する距離検出手段と、
前記タグリーダが受信したＩＤと一致する照合用ＩＤに関連付けられた視力情報および前記距離検出手段が検出した距離に基づいて前記表示手段の表示を拡大縮小する表示制御手段と、
を備える監視システム。
【請求項２】
監視対象の異常を検出する異常検出手段を備え、
前記距離検出手段は、前記異常検出手段が異常を検出した場合に前記タグリーダによってＩＤを受信された無線タグと前記タグリーダとの距離を検出し、
前記表示制御手段は、前記距離検出手段が検出した距離が予め設定された第１の距離以下である場合は、前記表示手段に通常の表示を行い、前記距離検出手段が検出した距離が前記第１の距離より長い場合は、前記タグリーダが受信したＩＤと一致する照合用ＩＤに関連付けられた視力情報に基づいて前記表示手段の表示を拡大する請求項１に記載の監視システム。
【請求項３】
監視対象の異常を検出する異常検出手段を備え、
前記距離検出手段は、前記異常検出手段が異常を検出した場合に前記タグリーダによってＩＤを受信された無線タグと前記タグリーダとの距離を検出し、
前記表示制御手段は、前記距離検出手段が検出した距離が予め設定された第１の距離以下である場合は、前記表示手段に通常の表示を行い、前記距離検出手段が検出した距離が予め前記第１の距離よりも長く設定された第２の距離よりも長い場合は、前記表示手段の表示を最大限に拡大する請求項１に記載の監視システム。
【請求項４】
監視対象の異常を検出する異常検出手段と、
異常発生時に警報を発する音響発生装置と、
を備え、
前記音響発生装置は、前記異常検出手段が異常を検出した場合に、前記距離検出手段が検出した距離に基づいて音量を調整する請求項１に記載の監視システム。
【請求項５】
監視対象の異常を検出する異常検出手段を備え、
前記表示制御手段は、前記異常検出手段が異常を検出した場合に、前記距離検出手段が検出した距離に基づいて前記表示手段の輝度を変化させる請求項１に記載の監視システム。
【発明の詳細な説明】
【技術分野】
【０００１】
本発明は、監視システムに関するものである。
【背景技術】
【０００２】
下記特許文献１には、エレベーター監視装置が記載されている。このエレベーター監視装置は、表示装置を備えている。表示装置は、エレベーターの状態および異常を画面に表示する。また、エレベーター監視装置は、警報選択手段を備えている。警報選択手段は、表示装置が休止状態のときに異常が発生すると、通常の監視表示と異なる形態の警報表示を選択して表示装置の画面全体に表示させる。
【先行技術文献】
【特許文献】
【０００３】
【特許文献１】特開平１−２２０６８９号公報
【発明の概要】
【発明が解決しようとする課題】
【０００４】
特許文献１に記載のエレベーター監視装置は、表示装置が休止状態のときにエレベーターに異常が発生すると、通常とは異なる警報表示を画面全体に表示する。この場合、異常の詳細情報を表示させるためには通常の監視画面に切り替える必要があり、監視員による詳細情報の確認が遅れてしまう危険性があった。
【０００５】
本発明は、上記のような課題を解決するためになされたものである。その目的は、監視員が異常の発生を認識しやすく、かつ異常の詳細を迅速に確認できる監視システムを提供することである。
【課題を解決するための手段】
【０００６】
本発明に係る監視装置は、
監視対象の情報を表示するための表示手段と、表示手段の近傍に設けられ、無線タグからＩＤを受信するタグリーダと、照合用ＩＤおよび照合用ＩＤに関連付けられた視力情報を予め記憶している記憶手段と、タグリーダが受信したＩＤを、記憶手段に記憶されている照合用ＩＤと照合する認証手段と、タグリーダによってＩＤを受信された無線タグとタグリーダとの距離を検出する距離検出手段と、タグリーダが受信したＩＤと一致する照合用ＩＤに関連付けられた視力情報および距離検出手段が検出した距離に基づいて表示手段の表示を拡大縮小する表示制御手段と、を備えたものである。
【発明の効果】
【０００７】
本発明によれば、監視員が異常の発生を認識しやすく、かつ異常の詳細を迅速に確認できる監視システムを実現することができる。
【図面の簡単な説明】
【０００８】
【図１】本発明の実施の形態１を示す監視システムの構成図である。
【図２】本発明の実施の形態１を示す監視システムにおける監視画面の通常表示である。
【図３】本発明の実施の形態１を示す監視システムにおける監視員データである。
【図４】本発明の実施の形態１を示す監視システムの動作を示すフローチャートである。
【図５】本発明の実施の形態１を示す監視システムにおける監視画面の拡大表示である。
【図６】本発明の実施の形態１を示す監視システムにおける監視画面の最大拡大表示である。
【発明を実施するための形態】
【０００９】
添付の図面を参照して、本発明を詳細に説明する。各図では、同一又は相当する部分に同一の符号を付している。重複する説明は、適宜簡略化或いは省略する。
【００１０】
実施の形態１．
図１は、本実施の形態における監視システムの構成図である。ここでは、一例として、昇降機の状態を監視するための構成を示している。以下、主に図１を参照して監視システムの構成を説明する。
【００１１】
図１では、説明のために、監視システムの監視対象となる昇降機の一部を示している。監視システムは、エレベーター１ａ〜１ｅ、エスカレーター１ｆ、１ｇを監視する。エレベーター１ａ〜１ｃの運行は、エレベーター制御盤２ａによって制御されている。また、エレベーター１ｄおよび１ｅの運行は、エレベーター制御盤２ｂによって制御されている。
【００１２】
昇降機監視システムは、昇降機監視装置３を備えている。昇降機監視装置３は、エレベーター制御盤２ａ、エレベーター制御盤２ｂ、エスカレーター１ｆおよびエスカレーター１ｇと接続している。昇降機監視装置３は、制御盤２ａおよび２ｂから、エレベーター１ａ〜１ｅの状態信号を受信する。また、昇降機監視装置３は、エスカレーター１ｆおよび１ｇから、それらの状態信号を受信する。状態信号は、昇降機の停止階、戸開閉情報、運転方向、異常の有無等の情報を含んでいる。
【００１３】
また、昇降機監視システムは、昇降機監視表示装置４を備えている。昇降機監視表示装置４は、昇降機監視装置３に接続されている。昇降機監視表示装置４には、昇降機監視装置３が受信した昇降機の状態信号に基づいて、昇降機監視画面が表示される。
【００１４】
図２は、本実施の形態における昇降機監視画面の通常表示の一例を示している。
通常表示では、エレベーターのバンク情報およびエスカレーターのグループ情報が表示されている。エレベーターのバンク情報には、エレベーターの各号機の情報が含まれている。また、エスカレーターのグループ情報には、エスカレーターの各号機の運転方向等が表示されている。エレベーターの各号機の情報としては、停止階、戸開閉情報、運転方向、異常の有無等が表示されている。異常が発生している号機およびそれを含むバンクを示す部分は、正常な部分とは異なる色で強調表示されている。また、通常表示では、エレベーターのバンク毎およびエスカレーターの号機毎の運転状態が表示されている。バンク毎の運転状態は、バンクにおける異常な号機の有無、現在の運転方式等が表示されている。さらに、通常表示では、過去の異常について、発生日時、発生した号機とバンク、発生内容、復旧日時等が表示されている。昇降機の監視員は、このような昇降機監視画面を見ることで、エレベーターおよびエスカレーターの状態を確認する。
【００１５】
本実施の形態において、昇降機の監視員は、無線タグ７を携帯している。無線タグ７には、無線タグＩＤが記憶されている。
【００１６】
また、昇降機監視表示装置４の近傍には、無線タグ読取り装置６が設けられている。無線タグ読取り装置６は、無線タグ７から無線タグＩＤを読み取る。また、無線タグ読取り装置６は、読み取った無線タグＩＤを昇降機監視装置３に送信する。昇降機監視装置３は、無線タグ読取り装置６から無線タグＩＤを受信すると、その無線タグＩＤを記憶している無線タグ７と無線タグ読取り装置６との距離を検出することができる。
【００１７】
また、昇降機監視システムは、監視員データ記憶装置５を備えている。監視員データ記憶装置５には、監視員データが予め記憶されている。監視員データには、無線タグＩＤと、無線タグＩＤに対応する監視員名および監視員の視力情報が含まれている。昇降機監視装置３は、無線タグ読取り装置６から無線タグＩＤを受信すると、その無線タグＩＤが監視員データ記憶装置５に監視員データとして記憶されているか否か照合する。
【００１８】
図３は、監視員データの一例を示している。監視員データ記憶装置５には、監視員名と、その監視員の視力情報とが、その監視員の携帯する無線タグ７の無線タグＩＤに関連付けて記憶されている。昇降機監視装置３は、無線タグ読取り装置６から無線タグＩＤを受信すると、その無線タグＩＤに関連付けられた監視員名および視力情報を参照することができる。
【００１９】
図４は、本実施の形態における監視システムの動作を示すフローチャートである。ここでは、昇降機監視システムの動作を示している。この動作は、監視員がログイン操作を行うことにより開始される。以下、主に図４を参照して、昇降機監視システムの動作を説明する。
【００２０】
監視員がログインすると、無線タグ読取り装置６が、監視員が携帯する無線タグ７から無線タグＩＤを読み取る（Ｓ１０１）。無線タグ読取り装置６は、読み取った無線タグＩＤを、昇降機監視装置３に送信する。
【００２１】
Ｓ１０１に続いて、昇降機監視装置３は、受信した無線タグＩＤを、監視員データ記憶装置５に記憶されている監視員データと照合する（Ｓ１０２）。受信した無線タグＩＤが監視員データに含まれていない場合は、Ｓ１０１から処理をやり直す。
【００２２】
Ｓ１０２で、受信した無線タグＩＤが監視員データに含まれている場合は、昇降機監視表示装置４に通常表示（図２参照）で昇降機監視画面が表示される（Ｓ１０３）。
【００２３】
Ｓ１０３に続いて、監視員が交代したか否かの判定が行われる（Ｓ１０４）。監視員の交代操作が行われた場合は、Ｓ１０１から処理をやり直す。
【００２４】
Ｓ１０４で、監視員の交代操作が行われていない場合は、監視を終了するか否かの判定が行われる（Ｓ１０５）。監視の終了操作が行われた場合は、昇降機監視画面の表示を終了する。
【００２５】
Ｓ１０５で、監視の終了操作が行われていない場合は、昇降機に異常が発生しているか否かの判定が行われる（Ｓ１０６）。異常が発生していない場合は、Ｓ１０３以降の処理を繰り返す。
【００２６】
Ｓ１０６で、昇降機に異常が発生している場合、昇降機監視装置３は、ログイン中の監視員が携帯する無線タグ７と無線タグ読取り装置６との距離を検出する（Ｓ１０７）。これにより、監視員が昇降機監視表示装置４からどの程度の離れた位置に居るのかが検出される。
【００２７】
Ｓ１０７に続いて、Ｓ１０７で検出された距離（以下、「画面との距離」という）が１ｍ以内であるか否かの判定が行われる（Ｓ１０８）。画面との距離が１ｍ以内である場合、監視員は昇降機監視表示装置４の近傍におり、通常の昇降機監視画面を見て異常の発生を認識可能であると判断される。この場合は、昇降機監視画面を通常表示（図２参照）とし、Ｓ１０４以降の処理を繰り返す。
【００２８】
Ｓ１０８で、画面との距離が１ｍよりも長いと判定された場合、さらに、１ｍより長く３ｍ以内であるか否かの判定が行われる（Ｓ１０９）。画面との距離が１ｍより長く３ｍ以内である場合、続いて、ログイン中の監視員の視力が１．０以下であるか否かの判定が行われる（Ｓ１１０）。監視員の視力が１．０より高い場合、監視員は、昇降機監視画の通常表示を見て異常の発生を認識可能であると判断される。この場合は、昇降機監視画面を通常表示とし、Ｓ１０４以降の処理を繰り返す。
【００２９】
図５は、異常が発生したエレベーターのバンク情報又はエスカレーターのグループ情報を画面全体に表示したもの（以下、「拡大表示」という）の一例を示している。Ｓ１１０で、監視員の視力が１．０以下であると判定された場合、図５に示すように、昇降機監視画面を拡大表示とする（Ｓ１１１）。
【００３０】
Ｓ１１１に続いて、昇降機が異常から復旧したか否かの判定が行われる（Ｓ１１２）。異常から復旧している場合は、Ｓ１０３に戻り、昇降機監視画面を通常表示とする。異常から復旧していない場合は、現在の昇降機監視画面の表示を継続し、Ｓ１０４以降の処理を繰り返す。
【００３１】
Ｓ１０９で、画面との距離が３ｍよりも長いと判定された場合、さらに、３ｍより長く５ｍ以内であるか否かの判定が行われる（Ｓ１１３）。画面との距離が３ｍより長く５ｍ以内である場合、続いて、ログイン中の監視員の視力が１．０以下であるか否かの判定が行われる（Ｓ１１４）。監視員の視力が１．０より高い場合、監視員は、拡大表示を見て異常の発生を認識可能であると判断される。この場合は、Ｓ１１１以降の処理に進む。
【００３２】
図６は、異常が発生した号機の情報を画面全体に表示したもの（以下、「最大拡大表示」という）の一例を示している。Ｓ１１４で、監視員の視力が１．０以下であると判定された場合、図６に示すように、昇降機監視画面を最大拡大表示とする（Ｓ１１５）。Ｓ１１５の後は、Ｓ１１２以降の処理に進む。
【００３３】
Ｓ１１３で、画面との距離が５ｍよりも長いと判定された場合も、Ｓ１１５に進み、昇降機監視画面を最大拡大表示とする。
【００３４】
上述した通り、本実施の形態における監視システムでは、異常発生時に、監視員と画面との距離および監視員の視力に基づいて、昇降機監視画面の表示を拡大縮小する。このため、異常発生時に監視員が画面から遠い位置にいる場合は、自動的に昇降機監視画面の表示が拡大される。その結果、監視員は、異常の発生を認識しやすくなり、迅速に対応することができる。
【００３５】
また、上述した通り、本実施の形態における監視システムでは、異常発生時に、監視員と画面との距離および監視員の視力に基づいて、昇降機監視画面の表示を最大拡大表示（図６参照）とする。このとき、監視員は、異常の発生を認識すると同時に、異常が発生した号機を知ることができる。その結果、監視員は、異常の発生箇所を探し出す必要がなく、迅速に対応することができる。
【００３６】
また、上述した通り、本実施の形態における監視システムでは、異常発生時に、監視員と画面との距離および監視員の視力に基づいて、昇降機監視画面の表示を拡大表示（図５参照）とする。このとき、監視員は、異常の発生を認識すると同時に、異常が発生した号機を知ることができる。このため、監視員は、異常の発生箇所を探し出す必要がない。さらに、監視員は、異常が発生した号機を含むバンク又はグループの、他の号機についても情報を得ることができる。その結果、監視員は、異常が発生したバンク又はグループ全体の状況を認識し、迅速に対応することができる。
【００３７】
また、上述した通り、本実施の形態における監視システムでは、異常発生時に、監視員と画面との距離および監視員の視力に基づいて、昇降機監視画面の表示を拡大縮小する。このため、異常発生時に監視員が画面に近づくように移動すると、自動的に昇降機監視画面の表示が縮小される。つまり、監視員が画面に近づくにつれて、最大拡大表示、拡大表示、通常表示の順に切り替わる。このため、監視員は、画面に近づくだけでより詳細な情報を得ることができる。その結果、監視員は、迅速に異常の詳細を確認し、対応することができる。
【００３８】
本実施の形態では、画面との距離について、「１ｍ以内か」、「１〜３ｍか」、「３〜５ｍか」の３つの基準を設定した。しかし、基準として設定する距離の範囲および基準の数はこれに限らない。
【００３９】
また、本実施の形態では、監視員の視力について、「１．０以下か」という１つの基準を設定した。しかし、基準として設定する視力の範囲および基準の数はこれに限らない。
【００４０】
また、本実施の形態では、異常発生時に、監視員と画面との距離および監視員の視力に基づいて昇降機監視画面の表示を拡大したが、監視員が異常の発生を認識しやすくする方法はこれに限らない。例えば、異常発生時に、監視員と画面との距離に基づいて画面の輝度を変化させることとしてもよい。具体的には、輝度の上昇、画面の点滅等によって異常の発生を認識しやすくすることができる。
【００４１】
また、スピーカーを備えた監視システムとして構成し、異常発生時に監視員と画面との距離が非常に離れている場合は、大音量でブザーの鳴動や警報アナウンスの放送をすることとしてもよい。
【００４２】
また、本実施の形態では、昇降機を監視するために監視システムを用いた。しかし、本発明の監視システムは、昇降機に限らず、様々な機械装置および設備に利用できる。
【符号の説明】
【００４３】
１ａ〜１ｅ  エレベーター、１ｆ，１ｇ  エスカレーター、２ａ，２ｂ  エレベーター制御盤、３  昇降機監視装置、４  昇降機監視表示装置、５  監視員データ記憶装置、６  無線タグ読取り装置、７  無線タグ
【図１】
2014106608.tif 000003
【図２】
2014106608.tif 000004
【図３】
2014106608.tif 000005
【図４】
2014106608.tif 000006
【図５】
2014106608.tif 000007
【図６】
2014106608.tif 000008